【手続補正書】
【提出日】平成26年10月17日(2014.10.17)
【手続補正１】
【補正対象書類名】明細書
【補正対象項目名】発明の名称
【補正方法】変更
【補正の内容】
【発明の名称】監視システム、サーバー及び監視方法
【手続補正２】
【補正対象書類名】特許請求の範囲
【補正対象項目名】全文
【補正方法】変更
【補正の内容】
【特許請求の範囲】
【請求項１】
複数のユーザーの状態を監視することができる監視システムであって、
気象計測センサーと、
前記複数のユーザーに各々に携帯される、前記ユーザーの活動量を計測する活動量センサーおよび前記ユーザーの生体情報を計測する生体情報センサーと、
前記活動量センサーが計測した活動データと、前記生体情報センサーが計測した生体情報と、前記気象計測センサーが計測した気象データと、を記憶する記憶部と、
前記記憶部に記憶された前記活動データと、前記生体情報と、前記気象データと、を利用して、前記複数のユーザーの状態を判定する体調レベル判定部と、を有する、監視システム。
【請求項２】
請求項１において、
前記体調レベル判定部が、危険な状態と判定したユーザーの危険情報を生成する危険情報生成部と、をさらに含み、
前記危険な状態と判定されたユーザー以外の少なくとも一人の他のユーザーに前記危険情報を送信する通信部と、を有する、監視システム。
【請求項３】
請求項１又は２において、
さらに、表示部を含み、
前記表示部は、前記危険情報を表示する、監視システム。
【請求項４】
請求項１乃至３のいずれか一項において、
前記気象計測センサーとして、気圧センサー、温度センサー、湿度センサー、風速センサー、空気質センサーのいずれか１つを含む、監視システム。
【請求項５】
請求項１乃至４のいずれか一項において、
前記活動量センサーとして、心拍計、歩数計、加速度センサーのいずれか１つを含む、監視システム。
【請求項６】
請求項１乃至５のいずれか一項において、
前記生体情報として、心拍数、脈拍数、呼吸数、血糖値、発汗量、体温、血液中の塩分濃度のいずれか１つを取得する、監視システム。
【請求項７】
請求項１乃至６のいずれか一項において、
さらに、衛星信号を受信して位置情報を生成する位置情報生成部を備え、
前記通信部は、前記位置情報を送信する、監視システム。
【請求項８】
運動中の複数のユーザーの状態を監視することができる監視システムであって、
気象計測装置と、
前記複数のユーザーの各々にそれぞれ携帯される複数の情報端末と、を含み、
前記複数の情報端末の各々は、
取得した前記複数のユーザーの各々の活動データと生体情報とをサーバーに送信し、
前記サーバーは、
前記気象計測装置が計測した気象データを取得する気象データ取得部と、
前記複数の情報端末の各々から前記活動データを取得する活動データ取得部と、
前記複数の情報端末の各々から前記生体情報を取得する生体情報取得部と、
前記気象データ、前記活動データ及び前記生体情報を利用して、前記複数のユーザーの各々が危険な状態か否かを判定する体調レベル判定部と、
危険な状態と判定されたユーザーの位置情報を含む危険情報を生成する危険情報生成部と、を含み、
前記危険な状態と判定されたユーザー以外の少なくとも一人の他のユーザーが携帯する前記情報端末に前記危険情報を送信し、
前記他のユーザーが携帯する前記情報端末は、
前記サーバーから前記危険情報を受信する、監視システム。
【請求項９】
請求項８において、
前記気象計測装置は、
前記複数のユーザーが運動するエリアに分散して配置されている、監視システム。
【請求項１０】
請求項８又は９において、
前記サーバーは、
前記体調レベル判定部が、
前記複数のユーザーの各々に対して、現在の体調レベルが危険レベルにある場合に危険な状態と判定する、監視システム。
【請求項１１】
請求項８又は９において、
前記サーバーは、
前記体調レベル判定部が、
前記複数のユーザーの各々に対して、現在の体調レベルが危険レベルにあるか体調レベルが所定時間以内に危険レベルに達すると予測する場合に危険な状態と判定する、監視システム。
【請求項１２】
請求項８乃至１１のいずれか一項において、
前記サーバーは、
前記危険な状態と判定されたユーザーが携帯する前記情報端末に警告情報を送信し、
前記危険な状態と判定されたユーザーが携帯する前記情報端末は、
前記サーバーから前記警告情報を受信して警報音を出力する、監視システム。
【請求項１３】
請求項１２において、
前記危険な状態と判定されたユーザーが携帯する前記情報端末は、
当該ユーザーによる所定の操作が行われるまで前記警報音の出力を継続する、監視システム。
【請求項１４】
請求項８乃至１３のいずれか一項において、
前記複数の情報端末の各々は、
前記危険情報を受信した場合、当該危険情報を他の前記情報端末に送信する、監視システム。
【請求項１５】
請求項８乃至１４のいずれか一項において、
前記サーバーは、
前記危険な状態と判定されたユーザーに対応づけて登録された、医療行為の参考として使用可能な医療参考情報を、当該ユーザーが携帯する前記情報端末に送信し、
前記危険な状態と判定されたユーザーが携帯する前記情報端末は、
前記サーバーから前記医療参考情報を受信して記憶部に保存する、監視システム。
【請求項１６】
請求項１５において、
前記危険な状態と判定されたユーザーが携帯する前記情報端末は、
当該ユーザーによる所定の操作が行われると、前記記憶部に保存した前記医療参考情報を消去する、監視システム。
【請求項１７】
請求項８乃至１６のいずれか一項において、
前記複数の情報端末の各々は、
前記複数のユーザーの各々の動きデータを取得して前記サーバーに送信し、
前記サーバーは、
前記複数の情報端末の各々から前記動きデータを取得する動きデータ取得部と、
前記動きデータに基づいて、前記複数のユーザーの各々が転倒したか否かを判定する転倒判定部と、をさらに含み、
前記危険情報生成部が、
転倒したと判定されたユーザーの位置情報を含む前記危険情報を生成し、
前記転倒したと判定されたユーザー以外の少なくとも一人の他のユーザーが携帯する前記情報端末に前記危険情報を送信する、監視システム。
【請求項１８】
請求項８乃至１７のいずれか一項において、
前記サーバーをさらに含む、監視システム。
【請求項１９】
気象計測装置及び前記複数のユーザーの各々にそれぞれ携帯され前記複数のユーザーの各々の活動データと生体情報とを取得する複数の情報端末と通信ネットワークを介して通信するサーバーであって、
前記気象計測装置が計測した気象データを取得する気象データ取得部と、
前記複数の情報端末の各々から前記活動データを取得する活動データ取得部と、
前記複数の情報端末の各々から前記生体情報を取得する生体情報取得部と、
前記気象データ、前記活動データ及び前記生体情報を利用して、前記複数のユーザーの各々が危険な状態か否かを判定する体調レベル判定部と、
危険な状態と判定されたユーザーの位置情報を含む危険情報を生成する危険情報生成部
と、を含み、
前記危険な状態と判定されたユーザー以外の少なくとも一人の他のユーザーが携帯する前記情報端末に前記危険情報を送信する、サーバー。
【請求項２０】
運動中の複数のユーザーの状態を監視する監視方法であって、
気象計測装置が計測した気象データを取得する気象データ取得ステップと、
前記複数のユーザーの各々にそれぞれ携帯される複数の情報端末から前記複数のユーザーの各々の活動データを取得する活動データ取得ステップと、
前記複数の情報端末から前記複数のユーザーの各々の生体情報を取得する生体情報取得ステップと、
前記気象データ、前記活動データ及び前記生体情報を利用して、前記複数のユーザーの各々が危険な状態か否かを判定する体調レベル判定ステップと、
危険な状態と判定されたユーザーの位置情報を含む危険情報を生成する危険情報生成ステップと、
前記危険な状態と判定されたユーザー以外の少なくとも一人の他のユーザーが携帯する前記情報端末に前記危険情報を送信するステップと、を含む、監視方法。